(57)【特許請求の範囲】
【請求項１】
留守番電話機能を有し、電池からの電源電圧で動作する携帯電話装置において、
前記電池の電池電圧を測定する測定回路と、
前記測定回路により測定された電池電圧が、所定の第１の規定電圧に達したかどうかにより充電完了か否かを判定する第１の判定手段と、
前記第１の判定手段により充電が未完了と判定したときに、前記留守番電話機能が設定されているかどうか判定する第２の判定手段と、
前記第２の判定手段により前記留守番電話機能が設定されていないと判定されたときに、前記留守番電話機能を設定する第１の設定手段と
を有することを特徴とする携帯電話装置。
【請求項２】
前記第１の判定手段により充電が完了と判定したときに、前記留守番電話機能が設定されているがどうか判定する第３の判定手段と、前記第３の判定手段により前記留守番電話機能が設定されていると判定されたときには、前記留守番電話機能を解除する解除手段を更に有することを特徴とする請求項１記載の携帯電話装置。
【請求項３】
留守番電話機能を有し、電池からの電源電圧で動作する携帯電話装置において、
前記電池の電池電圧を測定する測定回路と、
前記測定回路により測定された電池電圧が、所定の第２の規定電圧を下回ったか否かを判定する第１の判定手段と、
前記第１の判定手段により前記第２の規定電圧を下回ったと判定したときに、前記留守番電話機能が設定されているかどうか判定する第２の判定手段と、
前記第２の判定手段により前記留守番電話機能が設定されていないと判定されたときに、前記留守番電話機能を設定する留守番電話機能設定手段と
を有することを特徴とする携帯電話装置。
【請求項４】
前記第２の規定電圧は、通常使用時に通話切断可能性のある電池電圧に相当することを特徴とする請求項３記載の携帯電話装置。
【請求項５】
留守番電話機能を有し、電池からの電源電圧で動作する携帯電話装置において、
前記電池の電池電圧を測定する測定回路と、
前記測定回路により測定された電池電圧が、所定の第１の規定電圧に達したかどうかにより充電完了か否かを判定する第１の判定手段と、
前記第１の判定手段により充電が未完了と判定したときに、前記留守番電話機能が設定されているかどうか判定する第２の判定手段と、
前記第２の判定手段により前記留守番電話機能が設定されていないと判定されたときに、前記留守番電話機能を設定する第１の設定手段と
前記測定回路により測定された電池電圧が、所定の第２の規定電圧を下回ったか否かを判定する第３の判定手段と、
前記第３の判定手段により前記第２の規定電圧を下回ったと判定したときに、前記留守番電話機能が設定されているかどうか判定する第４の判定手段と、
前記第４の判定手段により前記留守番電話機能が設定されていないと判定されたときに、前記留守番電話機能を設定する第２の設定手段と
を有することを特徴とする携帯電話装置。
【請求項６】
前記第１の判定手段により充電が完了と判定したときに、前記留守番電話機能が設定されているがどうか判定する第５の判定手段と、前記第５の判定手段により前記留守番電話機能が設定されていると判定されたときには、前記留守番電話機能を解除する解除手段を更に有することを特徴とする請求項５記載の携帯電話装置。
【発明の詳細な説明】
【０００１】
【発明の属する技術分野】
本発明は携帯電話装置に係り、特に留守番電話機能を備えた携帯電話装置に関する。
【０００２】
【従来の技術】
近年、携帯電話装置はその利便性から広く普及しており、更に付加価値として益々多数の機能が備えられるようになってきた。この付加機能の一つとしてよく知られているものに留守番電話機能がある。この留守番電話機能は、携帯電話装置の使用者が着信があったときに、不在であったり、会議中など電話に出ることができない場合であった場合に、相手方により相手方のメッセージを自分の携帯電話装置内のメモリに録音してもらう機能である。
【０００３】
【発明が解決しようとする課題】
ところで、携帯電話装置を充電器に装着し、電池を充電しようとした場合、充電中は電話が使用できないので、その場を離れてしまうことがある。このとき、留守番電話機能が設定されていない状態で着信があった場合、着信に応答することができず、情報を逃がしてしまうことがある。
【０００４】
また、通常に使用している場合では、電池が残り少なくなってきた時に着信があり、通話を行うと、早く電池切れとなってしまい、通話が続行できなくなることがある。
【０００５】
本発明は以上の点に鑑みなされたもので、充電中の着信を取り損なうことを防止し得る携帯電話装置を提供することを目的とする。
【０００６】
また、本発明の他の目的は、通常使用時の電池切れによる通話途絶を防止し得る携帯電話装置を提供することにある。
【０００７】
【課題を解決するための手段】
本発明は上記の目的を達成するため、留守番電話機能を有し、電池からの電源電圧で動作する携帯電話装置において、電池の電池電圧を測定する測定回路と、測定回路により測定された電池電圧が、所定の第１の規定電圧に達したかどうかにより充電完了か否かを判定する第１の判定手段と、第１の判定手段により充電が未完了と判定したときに、留守番電話機能が設定されているかどうか判定する第２の判定手段と、第２の判定手段により留守番電話機能が設定されていないと判定されたときに、留守番電話機能を設定する第１の設定手段とを有する構成としたものである。この発明では、電池電圧が第１の規定電圧に達するまでの電池の充電が完了するまでの期間は、留守番電話機能を設定することができる。
【０００８】
また、上記の目的を達成するため、本発明は、上記の第１の判定手段により充電が完了と判定したときに、留守番電話機能が設定されているがどうか判定する第３の判定手段と、第３の判定手段により留守番電話機能が設定されていると判定されたときには、留守番電話機能を解除する解除手段を更に有することを特徴とする。この発明では、電池の充電完了時に留守番電話機能が設定されているときには、その留守番電話機能を自動的に解除することができる。
【０００９】
また、上記の目的を達成するため、本発明は、留守番電話機能を有し、電池からの電源電圧で動作する携帯電話装置において、電池の電池電圧を測定する測定回路と、測定回路により測定された電池電圧が、所定の第２の規定電圧を下回ったか否かを判定する第１の判定手段と、第１の判定手段により第２の規定電圧を下回ったと判定したときに、留守番電話機能が設定されているかどうか判定する第２の判定手段と、第２の判定手段により留守番電話機能が設定されていないと判定されたときに、留守番電話機能を設定する留守番電話機能設定手段とを有する構成としたものである。この発明では、電池電圧が所定の第２の規定電圧を下回ったときは、電池電圧が残り少なくなったと判断し、留守番電話機能を設定することができる。
【００１０】
【発明の実施の形態】
次に、本発明の実施の形態について図面と共に説明する。図１は本発明になる携帯電話装置の一実施の形態のブロック図を示す。本実施の形態の携帯電話装置は、各部を統括的に制御する制御部１と、制御部１からの送信信号は所定の無線帯域に変調し、受信信号は音声信号帯域に復調する無線部２と、図示しない基地局との間で無線通信するために用いるアンテナ３と、応答メッセージや相手方からの留守番メッセージを録音する記憶装置の一例としてのランダム・アクセス・メモリ（ＲＡＭ）４と、電話番号や文字の表示や諸機能設定のための表示などを行う表示部５と、電話機能や留守番電話機能その他各種の機能設定のための各種の入力を行う操作部６と、送話音声を電気信号である送話音声信号に変換して制御部１を通して無線部２へ出力する送話器７と、無線部２により復調された受話音声信号を制御部１を介して供給されて電気−音響変換して相手の音声を発音する受話器８と、着信音を発音するスピーカ９と、電圧測定回路１０、充電回路１１と、電池端子１２と、充電端子１３とを有する。
【００１１】
電圧測定回路１０は電池端子１２に接触する電池の電池電圧を測定する。充電回路１１は電池端子１２に接続された電池を充電する。充電端子１３は、充電時に充電器側の端子と接触して、充電器からの所定の電源電圧を充電回路１１に供給する。
【００１２】
制御回路１は、ＲＡＭ４又は別のメモリに格納されているプログラムに従い、充電中は留守番電話機能を自動的に設定し、充電完了後は留守番電話機能を自動的に解除し、また、電圧測定回路１０からの測定電池電圧が規定電圧Ｂ以下のときに留守番電話機能を自動的に設定する。なお、留守番電話機能は電圧測定回路１０により測定される電池電圧とは別の電圧源により動作するようにされている。
【００１３】
次に、充電器が装着された場合の本実施の形態の動作について、図１、図２及び図４と共に説明する。充電器が装着されると、充電動作が行われる（図２のステップ１０１）。制御部１は、充電動作の開始を検出すると、電圧測定回路１０から供給される測定電池電圧を取り込み（図２のステップ１０２）、その測定電池電圧が規定電圧Ａを上回ったかどうかチェックする（図２のステップ１０３）。
【００１４】
ここで、充電回路１１による電池充電により、電圧測定回路１０により測定される電池電圧は、図４に示すように、徐々に上昇していき、規定電圧Ａに達すると、充電が完了する。すなわち、規定電圧Ａ以下のときは電池充電中状態を示し、規定電圧Ａよりも高電圧のときは電池充電完了状態を示す。従って、図２のステップ１０３では、電池充電が完了したかどうかを監視していることになる。
【００１５】
電池の充電が完了していないとき（電池充電中）は、制御部１は操作部６から留守番電話機能が設定されているかどうかをチェックし（図２のステップ１０４）、留守番電話機能が設定されていないときには、留守番電話機能を設定し（図２のステップ１０５）、留守番電話機能が設定されているときには、充電動作を続行させる（図２のステップ１０１）。
【００１６】
一方、ステップ１０３で電池の充電が完了している（測定電池電圧が規定電圧Ａよりも大）と判定されたときには、制御部１は操作部６から留守番電話機能が設定されているかどうかをチェックし（図２のステップ１０６）、留守番電話機能が設定されているときには、留守番電話機能の設定を解除し（図２のステップ１０７）、留守番電話機能が設定されていないときには、処理を終了する。
【００１７】
従って、本実施の形態によれば、電池の充電中は留守番電話機能を自動的に設定し、充電完了後は留守番電話機能を自動的に解除するようにしたため、充電中にその場を離れても着信を取り損なうことがなくなり、また、充電完了後は留守番電話機能の設定解除が自動的に行われ、着信音が鳴動するので、充電が完了していることが容易に確認できる。
【００１８】
次に、通常使用時の本実施の形態の動作について、図１、図３及び図５と共に説明する。通常通り使用している状態において（図３のステップ２０１）、制御部１は電圧測定回路１０から供給される測定電池電圧を取り込み（図３のステップ２０２）、その測定電池電圧が規定電圧Ｂを下回ったかどうか判定する（図３のステップ２０３）。
【００１９】
ここで、電池電圧は、図５に示すように通常使用時は放電しており、時間の経過と共に漸次低下するが、規定電圧Ｂにまで低下すると、通話切断の可能性がある。そこで、制御部１は測定電池電圧が規定電圧Ｂを下回っていないときには、通話切断の可能性が無いので、通常通りの使用を行う（図３のステップ２０１）が、測定電池電圧が規定電圧Ｂを下回ったときには、操作部６から留守番電話機能が設定されているかどうかをチェックし（図３のステップ２０４）、留守番電話機能が設定されていないときには、留守番電話機能を設定し（図３のステップ２０５）、留守番電話機能が設定されているときには、動作を終了する。
【００２０】
従って、本実施の形態によれば、通常使用時に電池電圧が十分あるときには、現状の設定を維持し、電池が残り少なくなってきたときは、留守番電話機能を自動的に設定するようにしたため、電池切れを少しでも長くすることができる。
【００２１】
なお、本発明は以上の実施の形態に限定されるものではなく、例えば、上記の実施の形態では、充電時と通常使用時に、留守番電話機能の設定／解除を自動的に行うようにしているが、この自動設定、自動解除を行うか否かを、使用者が任意に選択できる手段を設けてもよい。
【００２２】
【発明の効果】
以上説明したように、本発明によれば、電池電圧が第１の規定電圧に達するまでの電池の充電が完了するまでの期間は、留守番電話機能を設定するようにしたため、充電中にその場を離れたとしても、着信を取り損なうことを防止できる。
【００２３】
また、本発明によれば、電池の充電完了時に留守番電話機能が設定されているときには、その留守番電話機能を自動的に解除するようにしたため、充電中に設定された留守番電話機能の使用者による解除操作を不要にできる。
【００２４】
更に、本発明によれば、電池電圧が所定の第２の規定電圧を下回ったときは、電池電圧が残り少なくなったと判断し、留守番電話機能を設定するようにしたため、通常使用時の電池切れによる不測の事態を防止でき、また、電池切れを少しでも長くしたい場合に効果的である。
【図面の簡単な説明】
【図１】本発明の一実施の形態のブロック図である。
【図２】充電時の本発明の一実施の形態の動作説明用フローチャートである。
【図３】通常使用時の本発明の一実施の形態の動作説明用フローチャートである。
【図４】充電時の電池電圧の変化を示す特性図である。
【図５】通常使用時の電池電圧の変化を示す特性図である。
【符号の説明】
１  制御部
４  留守番電話メッセージ等格納用ＲＡＭ
５  表示部
６  操作部
１０  電圧測定回路
１１  充電回路
１２  電池端子
１３  充電端子
【図１】
0003808388.tif 000002
【図２】
0003808388.tif 000003
【図３】
0003808388.tif 000004
【図４】
0003808388.tif 000005
【図５】
0003808388.tif 000006